【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
少なくとも１つの胸部組織の変化を検出するように構成された監視装置であって、
患者の少なくとも１つの胸部組織からの少なくとも１つの電磁（ＥＭ）放射をインターセプトするように構成されたプローブと、前記インターセプトされたＥＭ放射を解析することによって少なくとも１つの胸部組織の誘電性関連特性の変化を検出し、前記変化に従って前記少なくとも１つの胸部組織中の液レベルを決定するように構成された処理ユニットとを備え、
前記プローブおよび前記処理ユニットはそれぞれ、少なくとも２４時間の期間中に複数の放射セッションで前記インターセプトおよび前記解析を実行するように構成される、監視装置。
【請求項２】
監視装置を前記患者の胸部に取り付けるように構成された取り付けユニットをさらに備える、請求項１に記載の監視装置。
【請求項３】
前記監視装置は実質的に静止しており、前記複数の放射セッションは前記患者が監視位置にあるときに実行される、請求項１に記載の監視装置。
【請求項４】
前記少なくとも１つの胸部組織は少なくとも１つの肺組織を含み、前記検出は、前記液の貯留、前記液の分散、前記液の分散における濃度変化、および前記液の組成の変化から成る群の項目に基づく、請求項１に記載の監視装置。
【請求項５】
前記液レベルに従って治療指示を与えるように構成された投薬インターフェースをさらに備える、請求項１に記載の監視装置。
【請求項６】
前記患者の呼吸量を検査するように構成された医療用装置と通信するように構成されたインターフェースをさらに含み、前記処理ユニットは前記呼吸量に従って前記決定を実行するように構成される、請求項１に記載の監視装置。
【請求項７】
前記処理ユニットは、前記液レベルに従って病理学的指標を検出するように構成され、前記監視装置は、前記病理学的指標に応答して通知を発生するように構成された出力ユニットをさらに含む、請求項１に記載の監視装置。
【請求項８】
前記患者に関する調整情報を受信するための調整ユニットをさらに備え、前記処理ユニットは前記調整情報に従って前記決定を実行するように構成される、請求項１に記載の監視装置。
【請求項９】
前記処理ユニットは、前記インターセプトされたＥＭ放射の第１セグメントとその第２セグメントとの間の差異を識別するように構成され、前記第１および第２セグメントはそれぞれ前記少なくとも１つの胸部組織の第１および第２領域から捕捉され、前記処理ユニットが前記決定を実行するために前記差異を使用することを可能にする、請求項１に記載の監視装置。
【請求項１０】
前記処理ユニットは、前記インターセプトされたＥＭ放射の第１セグメントとその第２セグメントの間の差異に従って、姿勢の変化、配置の変化、前記インターセプトされたＥＭ放射のパワーの変化、および前記インターセプトされたＥＭ放射の周波数の変化から成る群の項目の影響を低減する、請求項１に記載の監視装置。
【請求項１１】
少なくとも１つのユーザ規定閾値に照らして前記液レベルに従ってユーザに通知するように構成された出力ユニットをさらに含む、請求項１に記載の監視装置。
【請求項１２】
内部組織に対する前記患者の身体上の監視装置の配置を監視すること、及び内部組織に対する前記監視装置の誤配置、位置ずれ、脱離のうちの少なくとも１つを識別することのうちの少なくとも１つのために構成された配置ユニットをさらに備える、請求項１に記載の監視装置。
【請求項１３】
監視装置の位置を変化するための機械的調整を制御するように構成された配置ユニットをさらに備える、請求項１記載の監視装置。
【請求項１４】
前記複数の放射セッションが断続的である、請求項１に記載の監視装置。
【請求項１５】
前記処理ユニットは、前記患者のバイタルサイン、バイタルサインの傾向及び生理学的過程のうちの少なくとも１つを検出するように構成され、前記処理ユニットは、前記胸部組織液含有量の変化、及び前記バイタルサイン、バイタルサインの傾向及び生理学的過程のうちの少なくとも１つに対して前記患者の臨床状態を計算するように構成されている、請求項１に記載の監視装置。
【請求項１６】
前記決定は、信号の異なるセグメントの少なくとも１つの中の信号と異なるタイムインスタンスに測定された信号における差異を解析することを含む、請求項１に記載の監視装置。
【請求項１７】
前記期間中、前記処理ユニットは、少なくとも１つの運動効果を低減すること、及び監視装置を再配置すること及び監視された患者をある姿勢に誘導することのうちの少なくとも１つのための誘導命令を発生することのうちの少なくとも１つを実行する、請求項１に記載の監視装置。
【請求項１８】
前記期間中、前記処理ユニットは、監視装置の誤配置及び脱離のうちの少なくとも１つを検出すること、データ捕捉セッションを実行するために適した期間を識別すること、ベースラインを計算すること及び患者に従って調整される正常範囲を識別することのうちの少なくとも１つによって前記変化を識別すること、及び関心のある場所に対する前記プローブのアンテナの相対運動を補償するための追跡アルゴリズムを使用することのうちの少なくとも１つを実行する、請求項１に記載の監視装置。
【請求項１９】
前記処理ユニットは、前記変化識別に対する運動の影響を低減し、前記運動は、胸部運動、内部生理学的活動、及び外部生理学的活動不規則性からなる群の項目を含む、請求項１に記載の監視装置。
【請求項２０】
前記処理ユニットは、前記変化識別に対する運動の影響を低減し、前記運動は、器官運動、アンテナ運動、姿勢運動の変化、身体の運動、活動関連運動からなる群の項目である、請求項１に記載の監視装置。
【請求項２１】
患者の少なくとも１つの胸部組織の変化を検出するためのアンテナを有するウェアラブル監視装置を操作する方法であって、少なくとも２４時間の期間に複数のセッション時に少なくとも１つのアンテナの出力を受信すること、前記出力が少なくとも１つの胸部組織からインターセプトされた電磁（ＥＭ）放射に基づくときに少なくとも１つの胸部組織の誘電性関連特性の変化が検出され、少なくとも１つの胸部組織の液レベルを示すように前記出力をそれぞれ解析すること、及び前記解析に基づいて通知を出力することを含む、方法。
【請求項２２】
前記受信の少なくとも一部は、ウェアラブル監視装置が歩行できる患者上にあるときに作動する、請求項２１に記載の方法。
【請求項２３】
前記出力は、前記少なくとも１つの胸部組織からインターセプトされたＥＭ放射に基づいており、前記変化は前記変化に対する患者の姿勢の影響に関して計算される、請求項２１に記載の方法。
【請求項２４】
前記出力が前記少なくとも１つの胸部組織からインターセプトされたＥＭ放射に基づくとき、前記変化は前記変化に対する前記患者の活動レベルの影響に関して計算される、請求項２１に記載の方法。
【請求項２５】
前記液レベルと、少なくとも１つの病理学的パターンを表す少なくとも１つの値との間の一致を識別することをさらに含み、前記通知は前記少なくとも１つの病理学的パターンを示すために構成される、請求項２１に記載の方法。
【請求項２６】
前記少なくとも１つの病理学的パターンが、退行変性過程、急性呼吸窮迫症候群（ＡＲＤＳ）、鬱血性心不全（ＣＨＦ）、外傷、無気肺、術後無気肺、術後経過、吻合気管支、肺炎症の進行、肺血液貯留、感染原因、毒物吸入、外因性毒物循環、血管刺激物質、播種性血管内凝固異常（ＤＩＣ）、免疫学的過程反応、尿毒症、溺水後の肺水分レベル、肺静脈血栓、狭窄、静脈閉塞症、低アルブミン血症、リンパ管不全、高地肺水腫（ＨＡＰＥ）、神経原性肺水腫、薬物過剰投与、肺塞栓症、子癇、心臓除細動後、麻酔後、抜管後、および心肺バイパス術後から成る群から選択される項目のパターンである、請求項２５に記載の方法。
【請求項２７】
前記解析は、前記出力においてセグメントを識別し、前記セグメントに従って前記変化を検出することを含む、請求項２１に記載の方法。
【請求項２８】
前記解析は、前記セグメントを識別するための予め定められた胸壁モデルを使用することを含む、請求項２７に記載の方法。
【請求項２９】
医療情報、予め定められた周期、及び撮像データのうちの少なくとも１つに従って前記予め定められた胸壁モデルを調整することをさらに含む、請求項２８に記載の方法。
【請求項３０】
前記解析は、前記セグメントに対する前記インターセプトされたＥＭ放射の源の現在の位置を識別し、前記変化に対する前記現在の位置の影響に対して前記解析を実行する、請求項２７に記載の方法。
【請求項３１】
前記出力が前記少なくとも１つの胸部組織からインターセプトされたＥＭ放射に基づくとき、前記変化は少なくとも１つの組織移行部を示す、請求項２１に記載の方法。
【請求項３２】
前記出力が前記少なくとも１つの胸部組織からインターセプトされたＥＭ放射に基づくとき、前記解析は、前記患者の呼吸周期を識別し、それに応じて前記変化を検出することを含む、請求項２１に記載の方法。
【請求項３３】
前記通知は、液含有量変化を前記液レベルに従って示す、請求項２１に記載の方法。